(57)【要約】【課題】傘袋と傘を接続する接続部材を有する傘袋であって、傘の出し入れを容易に行うことができ、かつ使用後の濡れた傘を収容したときに傘についた雨滴がこぼれることのない傘袋を提供する。【解決手段】傘袋１は、接続部材１７によって折り畳み傘１９と接続する。接続部材１７の一端は、傘袋１の内側に取付部材９によって取り付けられる。取付部材９は、袋体３の長手方向の中央部から底部７の間に位置する。傘袋１は、折り畳み傘１９を出し入れするための開口部５を一端とし、他端を底部７とする筒状の袋体３を有する。スリット１３は、開口部５から長手方向に伸びる。着脱手段１１は、開口部５付近の外側に、スリット１３を挟むように位置する一対の部材からなり、着脱自在である。掛け部材１５は、開口部５付近に位置し、一端にボタン等の着脱可能な部材を有し、ループ状のものである。【選択図】図１
0003150188.tif 000002
【実用新案登録請求の範囲】
【請求項１】
傘を収容する傘袋であって、
前記傘を出し入れするための開口部を一端とし、他端を底部とする筒状の袋体と、
前記傘と前記袋体とを接続する接続部材と、
を有し、
前記接続部材は、前記袋体の内側であって、前記袋体の長手方向の中央部から前記底部の間に取り付けられることを特徴とする傘袋。
【請求項２】
前記袋体は、前記開口部から長手方向に伸びるスリットと、前記開口部付近の外側に、前記スリットを挟むように位置する一対の部材からなる着脱自在な着脱手段とを更に有し、
前記スリットの長さは、前記接続部材が取り付けられる位置から前記底部までの長さと同一、またはやや大きいことを特徴とする請求項１に記載の傘袋。
【請求項３】
前記袋体は、前記開口部または前記底部付近に、一端が着脱可能なループ状の掛け部材を更に有することを特徴とする請求項１または請求項２に記載の傘袋。
【請求項４】
請求項１に記載の傘袋が接続部材を介して接続されている傘。
【考案の詳細な説明】
【技術分野】
【０００１】
本考案は、傘を収容する傘袋、および傘袋が接続されている傘に関するものである。
【背景技術】
【０００２】
市販されている多くの折り畳み傘は、傘と傘袋が別体であり、互いに接続されていない。折り畳み傘は、傘袋から傘を取り出して使用するため、傘袋を紛失することが多い。傘袋がない場合、使用後には濡れた傘を剥き出しの状態で携帯しなくてはならず、衣服や鞄等に雨滴が付いて濡れてしまう。
【０００３】
傘袋の紛失を防止する従来技術として、特許文献１がある。特許文献１に記載の傘袋付き傘では、傘の柄または支柱と傘袋の外側とを接続部材で接続し、傘袋の外側に巻きバンドの一端を固定し、その巻きバンドの自由端と傘袋の外側または巻きバンドとにそれぞれ一対の部材からなる着脱自在な連結手段を固定する。傘を使用するときは、傘袋を小さくしてその外側を巻きバンドで巻き、連結手段を連結させることによって巻きバンドで傘袋を小さく丸めた状態に保つ。接続部材は長いと邪魔である。特許文献１に記載の発明では、接続部材を短くしても傘の出し入れができるようにするために、傘袋が開口部から長手方向に延びるスリットを有し、スリットの長さが傘袋の長手方向の長さの半分以上としている。
【先行技術文献】
【特許文献】
【０００４】
【特許文献１】特許第３０９６９７３号
【考案の概要】
【考案が解決しようとする課題】
【０００５】
しかしながら、スリットの長さが傘袋の長手方向の長さの半分以上とすると、使用後の濡れた傘を収容したときに、傘についた雨滴がスリットの隙間からこぼれる可能性が高い。このことを回避するために、スリットに代えてファスナーとすることも考えられる。しかし、ファスナーでは閉じるときに傘布を挟んでしまう可能性がある。また、ファスナーでは使用時に小さく丸めることや折り畳むことが難しくなる。
【０００６】
本考案は、前述した問題点に鑑みてなされたもので、傘袋と傘を接続する接続部材を有する傘袋であって、傘の出し入れを容易に行うことができ、かつ使用後の濡れた傘を収容したときに傘についた雨滴がこぼれることのない傘袋等を提供することである。
【課題を解決するための手段】
【０００７】
前述した目的を達成するために第１の考案は、傘を収容する傘袋であって、前記傘を出し入れするための開口部を一端とし、他端を底部とする筒状の袋体と、前記傘と前記袋体とを接続する接続部材と、を有し、前記接続部材は、前記袋体の内側であって、前記袋体の長手方向の中央部から前記底部の間に取り付けられることを特徴とする傘袋である。
【０００８】
第１の考案の傘袋は、傘の柄が底部、傘の石突が開口部に位置するように傘を収容するものである。前述のとおり、接続部材の一端は、袋体の長手方向の中央部から底部の間に、袋体の内側に取り付けられている。接続部材の他端は、傘の柄の近くの中棒に取り付けることで、短い接続部材であっても傘の出し入れができる。傘を取り出す場合、開口部を裏返して底部側に軽く引っ張りながら傘を取り出すことで、開口部から接続部材の取付位置までは袋体が裏返しとなる。一方、接続部材の取付位置から底部までは、接続部材または取付部材によって裏返しの進行が遮られ、裏返しとならずに円柱状の空間を形成する。この円柱状の空間によって、傘をスムーズに収容することができる。
尚、本考案の傘袋は、接続部材を短くするために傘体の開口部から長手方向に延びるスリットの長さを長くする必要はない。
【０００９】
更に、第１の考案の前記袋体は、前記開口部から長手方向に伸びるスリットと、前記開口部付近の外側に、前記スリットを挟むように位置する一対の部材からなる着脱自在な着脱手段とを更に有し、前記スリットの長さは、前記接続部材が取り付けられる位置から前記底部までの長さと同一、またはやや大きいことが望ましい。これによって、傘を取り出した後、傘袋の袋体を何回かに折り畳むかまたは丸めて小さくすることが容易になる。袋体を小さく纏めた後に着脱手段を着けることで、小さく纏めた袋体が広がることを防ぐ。
【００１０】
更に、第１の考案の前記袋体は、前記開口部または前記底部付近に、一端が着脱可能なループ状の掛け部材を更に有することが望ましい。この掛け部材によって、傘を使用していないときは、鞄の持ち手等に掛けて携帯することができる。
【００１１】
第２の考案は、第１の考案の傘袋が接続部材を介して接続されている傘である。
【考案の効果】
【００１２】
本考案により、傘袋と傘を接続する接続部材を有する傘袋であって、傘の出し入れを容易に行うことができ、かつ使用後の濡れた傘を収容したときに傘についた雨滴がこぼれることのない傘袋等を提供することができる。
【図面の簡単な説明】
【００１３】
【図１】折り畳み傘の傘袋１の実施形態を示す斜視図
【図２】折り畳み傘１９を傘袋１から出し入れする様子を示す一部斜視図
【図３】袋体３を裏返した状態の概略側面図
【図４】図２に示す袋体３の状態の概略側面図
【図５】袋体３の折り畳み方を説明するための概略側面図
【図６】図５（ｃ）の状態を示す斜視図
【図７】図６を矢印Ｄの方向から見た概略側面図
【図８】領域６７ｂの折り返しの途中を示す斜視図
【図９】領域６７ａ、６７ｂによって袋体３を包み込んだ状態を示す斜視図
【図１０】図９を矢印Ｅの方向から見た概略側面図
【考案を実施するための形態】
【００１４】
以下図面に基づいて、本考案の実施形態を詳細に説明する。
【００１５】
最初に、図１を参照しながら、本考案に係る折り畳み傘の傘袋１の全体概要を説明する。
図１は、折り畳み傘の傘袋１の実施形態を示す斜視図である。傘袋１は、折り畳み傘１９を収容する。傘袋１は、接続部材１７によって折り畳み傘１９と接続する。接続部材１７の一端は、傘袋１の内側に取付部材９によって取り付ける。取付部材９は、袋体３の長手方向の中央部から底部７の間に位置する。尚、取付部材９は、袋体３と一体として形成しても良いし、別体として形成しても良い。
【００１６】
傘袋１は、折り畳み傘１９を出し入れするための開口部５を一端とし、他端を底部７とする筒状の袋体３を有する。袋体３は布であって、スリット１３、着脱手段１１、掛け部材１５等を有する。
【００１７】
スリット１３は、開口部５から長手方向に伸びる。スリット１３の長さは、袋体３の全長の１／２よりも短く、例えば、袋体３の全長の１／４から１／６程度である。着脱手段１１は、開口部５付近の外側に、スリット１３を挟むように位置する一対の部材からなり、着脱自在である。着脱手段１１は、例えば、ボタン、フック、面ファスナー等である。着脱手段１１は、開口部５を袋体３の周方向に開閉する機能を果たすとともに、スリット１３を袋体３の長手方向に開閉する機能を果たす。掛け部材１５は、開口部５付近に位置し、一端にボタン等の着脱可能な部材を有し、ループ状のものである。掛け部材１５は、図示しない鞄の持ち手等に傘袋１を掛けるためのものである。掛け部材１５の位置は、底部７付近としても良い。
【００１８】
折り畳み傘１９は、柄２１、中棒２３、傘布２５、ベルト２７、石突２９等を有する。折り畳み傘１９は既存のどのようなものでも良い。折り畳み傘１９を傘袋１に収容するときは、柄２１が底部７、石突２９が開口部５に位置するように収容する。
【００１９】
接続部材１７は、紐、鎖等であり、材質は問わない。接続部材１７の一端は、折り畳み傘１９の柄２１付近の中棒２３に取り付ける。接続部材１７の他の一端は、前述したとおり傘袋１の内側に取付部材９によって取り付ける。接続部材１７の長さは、折り畳み傘１９を傘袋１に収容したときに柄２１が底部７まで到達するように、袋体３の底部７から取付部材９までの長さと同じ程度とする。
【００２０】
尚、接続部材１７は、折り畳み傘１９と取り外しができるように連結しても良い。これにより、市販されている折り畳み傘１９を本考案に係る傘袋１によって収容できる。また、接続部材１７は、取付部材９と取り外しができるように連結しても良い。
【００２１】
次に、図２を参照しながら、折り畳み傘１９を傘袋１から出し入れする様子について説明する。
図２は、折り畳み傘１９を傘袋１から出し入れする様子を示す一部斜視図である。前述のとおり、接続部材１７の一端は、袋体３の長手方向の中央部から底部７の間に位置する取付部材９によって袋体３の内側に取り付ける。接続部材１７の他の一端は、折り畳み傘１９の柄２１の近くの中棒２３に取り付ける。折り畳み傘１９は、柄２１が底部７、石突２９が開口部５に位置するように収容する。
【００２２】
折り畳み傘１９を取り出すときは、開口部５を裏返して底部７側に（図１のＡ方向に）軽く引っ張りながら取り出すことで、開口部５から取付部材９の位置までは袋体３が裏返しとなる。尚、掛け部材１５を開口部５に取り付ける場合、掛け部材１５を底部７側に（図１のＡ方向に）引っ張るようにしても良い。
図２では、袋体３が開口部５から取付部材９の位置まで裏返しの状態となっている。一方、取付部材９の位置から底部７までは、取付部材９によって裏返しの進行が遮られて裏返しとならずに二重構造となり、円柱状の空間を形成する。図２では、点線で示す領域が裏返しとなっていない部分である。このように、折り畳み傘１９を取り出した状態では、開口部５から取付部材９の位置までは袋体３が裏返しの状態となり、取付部材９の位置から底部７までの袋体３の一部が裏返しとならずに円柱状の空間を形成する。
【００２３】
折り畳み傘１９を傘袋１に収容する場合、柄２１を先頭にして、底部７の内側の面に向かって挿入する。このとき、円柱状の空間が存在することで、挿入した柄２１が固定し、折り畳み傘１９をスムーズに収容することができる。仮に円柱状の空間が存在しないとすると、袋体３は柔らかい布であるから、柄２１を底部７の内側の面に向かって挿入したときに、柄２１が固定せず、折り畳み傘１９をスムーズに収容することができない。
【００２４】
次に、図３を参照しながら、取付部材９の位置について説明する。
図３は、袋体３を裏返した状態の概略側面図である。図３では、開口部５から底部７までの袋体３全体が裏返しになっている。矢印３１、３３、３５、３７、３９は、袋体３の長手方向の位置を示す。矢印３１は開口部５の位置を示す。矢印３３は、開口部から長手方向に伸びるスリット１３の終端を示す。矢印３５は、袋体３を２分割する分割線の位置（袋体３の中央部の位置）を示す。矢印３７は、取付部材９の位置を示す。矢印３９は、底部７の位置を示す。
【００２５】
図３に示すように、矢印３７は、矢印３５と矢印３９との間に位置する。すなわち、取付部材９は、袋体３の長手方向の中央部から底部７の間に位置する。前述のとおり、接続部材１７の長さは底部７から取付部材９までの長さと同じ程度であるから、接続部材１７の長さは取付部材９の位置によって決まる。接続部材１７が長いと邪魔になるので、少なくとも袋体３の半分以下の長さとなるように、取付部材９の位置を袋体３の長手方向の中央部（矢印３５が示す位置）から底部７（矢印３９が示す位置）の間とする。
【００２６】
矢印３１から矢印３３までの距離は、矢印３７から矢印３９までの距離と同一、またはやや大きいことが望ましい。すなわち、スリット１３の長さは、取付部材９の位置から底部７までの長さと同一、またはやや大きいことが望ましい。これによって、袋体３を折り畳んで小さく纏めることが容易になる。詳細は後述する。
また、スリット１３の長さが開口部５の長さよりも短い場合、取付部材９の袋体３における周方向の取付位置は、スリット１３の位置と同じにすることが望ましい。これによって、袋体３を折り畳んで小さく纏めて着脱手段１１を着けるときに、接続部材１７をスリット１３に通すことが容易になる。接続部材１７をスリット１３に通すのは、折り畳み傘１９を使用しているときに袋体３の揺れを抑えるためである。詳細は後述する。
【００２７】
次に、図４から図１０を参照しながら、袋体３を折り畳んで小さく纏めた状態について説明する。
図４は、図２に示す袋体３の状態の概略側面図である。図４に示す袋体３は、開口部５から取付部材９までが裏返しとなっており、取付部材９から底部７までが裏返しとなっていない。裏返しとなっていない部分は点線で示している。図４に示す袋体３は、スリット１３の長さが袋体３の全長の約１／５である。また、取付部材９の位置から底部７までの長さが袋体３の全長の約１／５である。
【００２８】
矢印４１、４３、４５、４７、４９は、袋体３の長手方向の位置を示す。矢印４１は開口部５の位置を示す。矢印４３は、開口部から長手方向に伸びるスリット１３の終端を示す。また、矢印４３が示す位置は、袋体３の全長を５分割するときの上から１番目の分割線の位置である。矢印４５は、袋体３の全長を５分割するときの上から２番目の分割線の位置である。矢印４７は、底部７の位置を示す。また、矢印４７が示す位置は、袋体３の全長を５分割するときの上から３番目の分割線の位置である。矢印４９は、取付部材９の位置を示す。また、矢印４９が示す位置は、袋体３の全長を５分割するときの上から４番目の分割線の位置である。底部７から取付部材９までの部分（点線で示す部分）の長手方向の長さは、矢印４７から矢印４９までの長さである。
【００２９】
図５は、袋体３の折り畳み方を説明するための概略側面図である。図５は、袋体３の折り畳み方の一例を段階的に示している。図５（ａ）は、図４の状態から、矢印４７の位置を折り返し線とし、矢印４９の位置が矢印４５の位置に重なるように、矢印Ｃ１の方向に袋体３を折り返した状態を示している。図５（ｂ）は、図５（ａ）の状態から、矢印４５（４９）の位置を折り返し線とし、矢印４７の位置が矢印４３の位置に重なるように、矢印Ｃ２の方向に袋体３を折り返した状態を示している。図５（ｃ）は、図５（ｂ）の状態から、矢印４３（４７）の位置を折り返し線とし、矢印４５（４９）の位置が矢印４１の位置に重なるように、矢印Ｃ３の方向に袋体３を折り返した状態を示している。
【００３０】
図６は、図５（ｃ）の状態を示す斜視図である。図７は、図６を矢印Ｄの方向から見た概略側面図である。尚、図７では接続部材１７を省略している。
図４に示す矢印４７から矢印４９までの領域は、裏返しとなっている部分と裏返しとなっていない部分の二重構造となっており厚みがある。この厚みが袋体３を折り畳むときの芯の役割を果たし、簡単に折り畳むことができる。図５に示したように、矢印４７から矢印４９までの領域を折り畳み幅として３回折り畳むことで、傘袋１は、図６、図７に示す状態となる。
【００３１】
領域６１は、図４に示す矢印４７から矢印４９までの領域に相当する。領域６３は、図４に示す矢印４５から矢印４７までの領域に相当する。領域６５は、図４に示す矢印４３から矢印４５までの領域に相当する。領域６７ａ、領域６７ｂは、図４に示す矢印４１から矢印４３までの領域に相当する。領域６７ａと領域６７ｂの間の空間がスリット１３である。着脱手段１１ａは、領域６７ａの端部に位置する。着脱手段１１ｂは、領域６７ｂの端部に位置する。
【００３２】
図６、図７に示すように、袋体３を図５に示すように折り畳んだ状態では、領域６５（６１、６３）の下に領域６７ａが位置し、領域６７ａの下に領域６７ｂが位置する。袋体３は、全体としては略直方体の形状となっている。図６の点線で示すスリット１３は、取付部材９と同じ面に位置する。図６の点線で示す開口部５は、スリット１３とともにＬ字形をなしている。図７の状態では、手で抑えていないと小さく纏めた袋体３が広がってしまう。そこで、図８から図１０に示すように、領域６７ｂを折り返して、領域６７ａと領域６７ｂとで領域６５（６１、６３）を挟み、袋体３の広がりを抑える。
【００３３】
図８は、領域６７ｂの折り返しの途中を示す斜視図である。図８は、図６の状態から、領域６７ｂを折り返して、領域６５（６１、６３）を包む途中を示している。図６において斜線で示す領域６７ｂの面は、図８において斜線で示す領域６７ｂの面と同じである。
【００３４】
図９は、領域６７ａ、６７ｂによって袋体３を包み込んだ状態を示す斜視図である。図１０は、図９を矢印Ｅの方向から見た概略側面図である。図９、図１０に示す袋体３は、図８に示す状態から、領域６７ｂを完全に折り返して、領域６５（６１、６３）を包み込んだ状態を示している。図９、図１０に示す状態から、着脱手段１１ａ、１１ｂを着けることで、領域６５（６１、６３）は領域６７ａと領域６７ｂの間に収容され、小さく纏めた袋体３が広がることはない。尚、図１０では接続部材１７を省略している。
【００３５】
図９、図１０に示すように、小さく纏めた傘袋１は、略直方体の形状となる。図９において点線で示すスリット１３は、取付部材９と同じ面に位置する。図９の点線で示す開口部５は、スリット１３とともにＬ字形をなしている。
図９、図１０を見れば分かるように、領域６７ａと領域６７ｂが、領域６５（６１、６３）全体を覆う為には、スリット１３の長さが取付部材９の位置から底部７までの長さと同一、またはやや大きいことが望ましい。
また、取付部材９の袋体３における周方向の取付位置をスリット１３の位置と同じにすることで、図６から図１０に示すように、スリット１３と同じ面に取付部材９が位置する。この状態であれば、接続部材１７をスリット１３に通して着脱部材１１ａ、１１ｂを着けることが容易になる。
【００３６】
ここで、接続部材１７をスリット１３に通す理由について説明する。前提として、スリット１３の長さ（図９において点線で示すスリット１３の長辺の長さ）は、袋体３を略直方体に小さく纏めたときの開口部５の長さ（図９において点線で示す開口部５の長辺の長さ）よりも短いものとする。
折り畳み傘１９を使用しているときは、接続部材１７は中棒２３から鉛直下方向に垂れ下がった状態となる。小さく纏められた略直方体の袋体３は、取付部材９が位置する面を上面として折り畳み傘１９から垂れ下がる。折り畳み傘１９から垂れ下がっている袋体３は、振り子のように揺れる。この揺れが大きくなると邪魔になる。袋体３の揺れは、水平方向の長さが鉛直方向の長さよりも短い方が小さくなる。また、袋体３の揺れは、接続部材１７の可動範囲が小さい方が小さくなる。ここでは、スリット１３の長さが開口部５の長さよりも短いことを前提としているから、接続部材１７を開口部５ではなくスリット１３に通すことで、折り畳み傘１９から垂れ下がる袋体３の揺れを小さくすることができる。
従って、スリット１３の長さが開口部５の長さよりも短い場合、取付部材９の袋体３における周方向の取付位置をスリット１３の位置と同じにして、接続部材１７をスリット１３に通し易くすることが望ましいと言える。
【００３７】
以上の説明では、スリット１３の長さ、および取付部材９の位置から底部７までの長さが袋体３の全長の約１／５としたが、この長さに限らず、袋体３の長手方向に一定の幅を有していれば良い。また、袋体３を複数回折り畳むことで小さく纏めると説明したが、丸めることで小さく纏めても良い。丸める場合であっても、図４に示す矢印４７から矢印４９までの領域、すなわち裏返しとなっている部分と裏返しとなっていない部分の二重構造の領域が芯の役割を果たして丸め易くなる。
【００３８】
また、接続部材１７は取付部材９によって傘袋１の内側に取り付けると説明したが、接続部材１７を直接傘袋１に取り付けても良い。この場合であっても、折り畳み傘１９を取り出す場合、開口部５を裏返して底部７側に軽く引っ張りながら取り出すことで、開口部５から接続部材１７の取付位置までは袋体３が裏返しとなる。一方、取付位置から底部７までは、接続部材１７によって裏返しの進行が遮られて裏返しとならずに二重構造となり、円柱状の空間を形成する。
また、本考案の実施の形態では、折り畳み傘の傘袋を例として説明したが、本考案は通常の傘の傘袋にも適用可能である。
【００３９】
以上、添付図面を参照しながら、本考案に係る傘袋等の好適な実施形態について説明したが、本考案はかかる例に限定されない。当業者であれば、本願で開示した技術的思想の範疇内において、各種の変更例又は修正例に想到し得ることは明らかであり、それらについても当然に本考案の技術的範囲に属するものと了解される。
【符号の説明】
【００４０】
１………傘袋
３………袋体
５………開口部
７………底部
９………取付部材
１１………着脱手段
１３………スリット
１５………掛け部材
１７………接続部材
１９………折り畳み傘
２１………柄
２３………中棒
２５………傘布
２７………ベルト
２９………石突
【図１】
0003150188.tif 000003
【図２】
0003150188.tif 000004
【図３】
0003150188.tif 000005
【図４】
0003150188.tif 000006
【図５】
0003150188.tif 000007
【図６】
0003150188.tif 000008
【図７】
0003150188.tif 000009
【図８】
0003150188.tif 000010
【図９】
0003150188.tif 000011
【図１０】
0003150188.tif 000012